(57)【要約】      （修正有）【課題】非常に人の肌に良く馴染み一切公害の心配も無く、安価に生産が出来る、泉質素材を入れて湯の中に浸水するための器を提供する。【解決手段】型代金も要らずに自由に形を作ることができ、セラミックスなどを入れて持ち歩く時に音がしない木製の器とし、器の表面の穴は人の肌に触れる場所を小さく、洗浄し易いよう下面の穴を大きく開け、コンニャク糊若しくは水に溶けない糊を表面に塗布する。家庭用浴槽にセラミックス及び鉱石、鉱物を入れて浸水させる。【選択図】図１
2005144119.tif 000002
【特許請求の範囲】
【請求項１】
現在の社会では環境と健康問題が重要視されている。一般家庭で毎日入浴する浴槽内にセラミックスや天然の鉱物、鉱石を入れて天然温泉各地特有泉質を思いのままに溶出させて、家庭で其の効果を楽しみながら健康維持の為に今回発明の木製用器が是非必要である、癒し系の感覚からも、人と自然の木製の器は人の肌に良く合う、また木製の器は型代金も要らずに自由に形を作り、浴槽湯の中で木製の香りを楽しみながら木製用器に腰を下ろし天然温泉に似た泉質を味わう事が出来る、また木製器を長く使う為に器の表面にコンニヤク糊、その他湯に長く浸けても溶け出さない糊材を選び出し表面に塗布する、若しくは糊に浸水してよく乾燥して使うと湯や水分が吸収されない為に器の不食を防ぎ長く使用することが出来る、家庭用浴槽にセラミックス及び鉱石、鉱物を入れて浸水する木製用器の製造方法。
【請求項２】
請求項１記載に係る発明に示すように木製の器は自由に形の作成が出来る、特に天然温泉の泉質を出す為に各地で見られる、放射能線、（ラジウム温泉）ヘモグロビンで有名な鉄は生命の維持に不可欠と言われている、鉄温泉、硫黄温泉、ミョウバン温泉など多くの泉質がある、それ等から成るセラミックスや鉱石及び鉱物を器に入れる時、化学素材で作成した器は化学反応を起こす危険性があるが、木製用器はそれ等の危険が全く無く安心を持って製造することが出来る、更に木製用器は浴槽内から取り出す時や持ち運びに器の中に入っているセラミックス、鉱石などの音がすることが無く消費者より喜ばれる製品と確信している、また、木製用器は自由に作成できる為に器の表面の穴、人の肌に触れる場所を小さく、下面の穴を大きく開けると洗浄の時に下面より水道水をかけると奇麗に洗浄が出来て消費者より大きく喜ばれる請求項１記載における家庭用浴槽にセラミックス及び鉱石、鉱物を入れて浸水する木製用器の製造方法。
【発明の詳細な説明】
【発明の詳細な説明】
【発明に属する技術分野】
【０００１】      本発明は一般家庭で各地の天然温泉の泉質を楽しみながら健康を維持する事の出来る木製用器の製造に係る大事な発明である。また天然の木製品で有る為に化学反応を起こす心配もなく安心を持って消費者に使っていただく事の出来る製品である、尚、製造単価も安価で製品化できる上に使用後も天然素材で有る為にダイオキシンなどの発生も無く、毎日知らず、知らずの内に健康維持ができて社会に大きく貢献の出来る家庭用浴槽にセラミックス及び鉱石、鉱物を入れて浸水する木製用器の製造方法に関する技術に属するものである。
【背景技術】
【０００２】      従来は浴槽に浸水する器は化学製品であるアクリルや金属の製品で浴槽内で金属は錆びると同時に冷たい感じがする。アクリルは湯の温度が高くなるにつれてアクリルの臭いが蒸気と共に口、鼻から入り有害である。
【発明が解決しようとする課題】
【０００３】      本発明は、前記した従来の技術的欠陥を解決する為に、木製用器はセラミックスなどを入れて持ち歩く時に音がしない、また、形が色々と楽しい形を作ることが出来る。非常に人の肌に良く馴染み一切公害の心配も無く、安価で生産が出来る家庭用浴槽にセラミックス及び鉱石、鉱物を入れて浸水する木製用器にすることを課題にするものである。
【課題を解決するための手段】
【０００４】      前記した課題を解決するために、本発明は木製用器の特徴を生かし費用が安価で出来る木工所などと契約し、そこの技術を生かすと同時に器の形をマル型や長方形型に作れる家具やなどと組み合わせると、それぞれの加工の特徴を生かすことが出来てその形の範囲も幅広く容易に加工する事が出来る。
【発明を実施するための最良の形態】
【０００５】      本発明は請求項１記載に係る発明に示したように一般家庭で天然の温泉成分を溶出させ自然と健康に成ることを基本とし作成した物であり、その基本に基ずく製品を作るために環境を破壊する素材であっては成らない、そこで今回の木製用器が発案された、癒し系感覚からも人と木製は肌に良く会う持ち運びが軽い、金型代金がいらなく、その費用が人件費に回され労働者の仕事が増えて社会に大きく貢献できる発明である。【０００６】      請求項１記載に係る発明に示すように、今回の木製用器は金型代が要らないので製品単価が非常に安価で上がる。【０００７】      そしていろんな形の作品をつくり出すことが出来る。また木工所や家具店の協力で素早く製品化することができる。【０００８】      そして浴槽内で木製の香りを楽しみながら木製用器に腰を下ろして天然の温泉気分が味わえる最高健康用具として宝である。【０００９】      また、木製用器を長期間保持する為にコンニャク糊若しくは水に溶けない糊を付着させると見ちがえる程奇麗になり器が長期間保持できる。【００１０】      請求項２記載に係る発明に示すように、請求項１記載に係る発明の中で木製用器を選び出した最大のポイントは環境保護と温浴最中に器より蒸気と共に有害物質の発生が全くない点である。【００１１】      そして、天然温泉感覚を家庭に持ち込むためには、それに交わるセラミックスや鉱石、鉱物など、中にはラジウム温泉泉質が求められる場合もあり、その機能も優れた物質でアクリルなどでは、有害物質を発生させる恐れがありそれを解消するために木製用器は最高の安心もてる器である。【００１２】      また、セラミックスや鉱石、鉱物は固いので器に入れた場合、使用中にカタカタ音がする、木製用器はそれ等の音が全くない最高の器です。【００１３】      そして、木製用器は形の製作が簡単に出来るので毎日使う木製用器を洗う時に上下の穴が違い、下の大きい穴より水道水で洗浄すると奇麗に汚れが落ちて清潔感の溢れる木製用器の発明である。
【発明の効果】
【００１４】      以上に説明したように、本発明は家庭で健康維持するために毎日使う浴槽内で天然温泉の泉質を味わいながら健康維持に貢献できる製品を作るために木製用器を発見し、天然温泉泉質素材と成るとかなりのエネルギーを持った素材が必要であり、其の素材を器に入れる為に化学反応を起こさない木製用器が必要である、そして使用後のゴミ問題も公害が無く社会に大きく喜ばれる発明である。
【図面の簡単な説明】
【図１】    浴槽の湯が入っている状態に木製用器を浸水している断面図。
【図２】    木製用器の上、下の断面図、一例として円形。
【図３】    木製用器の中より見たセラミックスや鉱石、鉱物の入る場所
【符号の説明】
１      浴槽
２      湯
３      木製用器
４      ゴム足
５      温泉成分が溶出する穴
６      木製用器の上板
７      木製用器の下板
８      殺菌能力あるセラミックス
９      天然の温泉成分を持つ鉱石、鉱物
１０    磁性体セラミックス
【図１】
2005144119.tif 000003
【図２】
2005144119.tif 000004
【図３】
2005144119.tif 000005